(57)【要約】【課題】  換気装置の前面排気口から排気された空気が雨避け板の内面に沿って流動し、両隣りの床下換気口から床下空間に戻ってしまうのを防止できる床下換気構造の提供。【解決手段】  基礎９０と土台９１の間に受け板９が床下換気口８を間に保持して配設され、この床下換気口８ａに床下空間Ｓ１の空気を屋外Ｓ２に向けて排気させるための換気装置１が取り付けられ、各床下換気口の上方及び正面を覆うように雨避け板７が設けられている床下換気構造である。換気装置を取り付けている床下換気口から排気された空気が雨避け板の内面に沿って両隣りの床下換気口に流入するのを遮断させるための遮蔽手段が設けられている。【選択図】  図１
2007077573.tif 000002
【特許請求の範囲】
【請求項１】
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に、前記床下換気口内に接続される前面排気口が形成され、
前記各床下換気口の上方及び正面を一連に連続して覆うように土台の外面に雨避け板が設けられている床下換気構造であって、
前記換気装置を取り付けている床下換気口から排気された空気が雨避け板の内面に沿って両隣りの床下換気口に流入するのを遮断させるための遮蔽手段が設けられていることを特徴とする床下換気構造。
【請求項２】
前記遮断手段が、換気装置を取り付けている床下換気口に対向する雨避け板の内面に取り付けられて、当該床下換気口から排気された空気が雨避け板の内面に沿って両隣りの床下換気口の方向に流動するのを遮断させるための遮蔽部材である請求項１記載の床下換気構造。
【請求項３】
前記遮断手段が、換気装置を取り付けている床下換気口の両隣りの床下換気口を閉塞させる閉塞部材である請求項１記載の床下換気構造。
【請求項４】
前記遮断手段が、先端が前記換気装置を取り付けている床下換気口に対向する雨避け板の内面に当接するように、前記換気装置の前面排気口の両側に取り付けた遮蔽部材であり、
この遮蔽部材によって、当該床下換気口から排気された空気が雨避け板の内面に沿って両隣りの床下換気口の方向に流動するのを遮断させるように形成させた請求項１記載の床下換気構造。
【請求項５】
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に前記床下換気口内に接続される前面排気口が形成され、
前記各床下換気口の上方及び正面を一連に連続して覆うように土台の外面に雨避け板が設けられている床下換気構造であって、
前記送風ケーシングの両側面に床下空間の内部方向に延長させてガード部材を取り付け、
このガード部材によって、前記換気装置を取り付けている床下換気口の両隣りの床下換気口から床下空間内に流入してきた空気が送風ファンで再び吸気されるのをガードさせるように形成したことを特徴とする床下換気構造。
【請求項６】
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に前記床下換気口内に接続される前面排気口が形成され、
前記各床下換気口の上方及び正面を一連に連続して覆うように土台の外面に雨避け板が設けられている床下換気構造であって、
前記送風ファンの空気取込口に、床下空間の内部方向に延長させて吸気ダクトが取り付けられていることを特徴とする床下換気構造。
【発明の詳細な説明】
【技術分野】
【０００１】
本発明は、建物の床下に施工される床下換気構造に関し、特に、基礎と土台の間に受け板を配設した基礎パッキン工法の基礎部に施工される床下換気技術に関する。
【背景技術】
【０００２】
基礎パッキン工法は、コンクリート製の基礎とその上に設けられる土台との間に多数の受け板が所定の間隔を保持して配設され、この受け板が配設されていない基礎と土台の間隙が床下換気口に形成されたものである（特許文献１参照）。
このように、基礎と土台の間隙を床下換気口に形成させると、基礎自体に欠き込みの換気口を形成したものに比べ、基礎の断面欠損がなくなるため、基礎強度の低下を防止できるという利点がある。
【０００３】
しかしながら、基礎パッキン工法にあっては、床下換気口の上下幅が受け板の厚み分しか取れないため、どうしても換気口形状が扁平形状になり、換気口面積が狭くなって十分な換気効果を得ることができないという問題があった。
【特許文献１】特開平１０−２３７８７７号公報
【発明の開示】
【発明が解決しようとする課題】
【０００４】
そこで、基礎パッキン工法による床下換気に際し、床下換気口に換気装置を取り付けた強制換気を行なえば、換気効率を向上できるもので、このような換気装置を用いた強制換気により換気効率を向上させることができるようにした床下換気構造を本出願人において既に提案している（特願２００４−１９７００１）。
【０００５】
ところで、基礎パッキン工法による床下換気口には、各床下換気口の上方及び正面を一連に連続して覆うように土台の外面に雨避け板が設けられている。
このように、雨避け板が設けられていると、換気装置の前面排気口から排気された空気が雨避け板の内面に沿って両隣りの床下換気口の方向に流動し、その両隣りの床下換気口から床下空間に戻ってしまうという問題があるし、更に、その床下空間に戻った２次空気が再び換気装置に吸入されてしまうというショートパスの問題が残されていた。
【０００６】
本発明は、上記のような問題を解決するためになされたもので、換気装置の前面排気口から排気された空気が雨避け板の内面に沿って流動し、両隣りの床下換気口から床下空間に戻ってしまうといったことがなく、また、床下空間に戻った２次空気が再び換気装置に吸入されてしまうというショートパスを解消できるようにした床下換気構造を提供することを課題としている。
【課題を解決するための手段】
【０００７】
上記の課題を解決するために、本発明（請求項１）の床下換気構造は、
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に、前記床下換気口内に接続される前面排気口が形成され、
前記各床下換気口の上方及び正面を一連に連続して覆うように土台の外面に雨避け板が設けられている床下換気構造であって、
前記換気装置を取り付けている床下換気口から排気された空気が雨避け板の内面に沿って両隣りの床下換気口に流入するのを遮断させるための遮蔽手段が設けられている構成とした。
【０００８】
又、本発明（請求項２）の床下換気構造は、
請求項１記載の床下換気構造において、前記遮断手段が、換気装置を取り付けている床下換気口に対向する雨避け板の内面に取り付けられて、当該床下換気口から排気された空気が雨避け板の内面に沿って両隣りの床下換気口の方向に流動するのを遮断させるための遮蔽部材である構成とした。
【０００９】
又、本発明（請求項３）の床下換気構造は、
請求項１記載の床下換気構造において、前記遮断手段が、換気装置を取り付けている床下換気口の両隣りの床下換気口を閉塞させる閉塞部材である構成とした。
なお、この発明（請求項３）は、少なくとも両隣りの床下換気口が閉塞部材で閉塞されていればよく、床下換気口の大きさ、隣りの床下換気口までの距離、換気装置の風量等を勘案して、両隣りの床下換気口だけでなく、その先の床下換気口についても閉塞させることは任意である。
【００１０】
又、本発明（請求項４）の床下換気構造は、
請求項１記載の床下換気構造において、前記遮断手段が、先端が前記換気装置を取り付けている床下換気口に対向する雨避け板の内面に当接するように、前記換気装置の前面排気口の両側に取り付けた遮蔽部材であり、
この遮蔽部材によって、当該床下換気口から排気された空気が雨避け板の内面に沿って両隣りの床下換気口の方向に流動するのを遮断させるように形成させた構成になっている。
【００１１】
又、本発明（請求項５）の床下換気構造は、
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に前記床下換気口内に接続される前面排気口が形成され、
前記各床下換気口の上方及び正面を一連に連続して覆うように土台の外面に雨避け板が設けられている床下換気構造であって、
前記送風ケーシングの両側面に床下空間の内部方向に延長させてガード部材を取り付け、
このガード部材によって、前記換気装置を取り付けている床下換気口の両隣りの床下換気口から床下空間内に流入してきた空気が送風ファンで再び吸気されるのをガードさせるように形成した。
【００１２】
又、本発明（請求項６）の床下換気構造は、
基礎と土台の間に多数の受け板が床下換気口を間に保持して配設され、少なくとも１つの床下換気口に床下空間の空気を屋外に向けて排気させるための換気装置が取り付けられ、
前記換気装置は、吸気口に送風ファンが取り付けられた送風ケーシングを備え、この送風ケーシングの前部に前記床下換気口内に接続される前面排気口が形成され、
前記各床下換気口の上方及び正面を一連に連続して覆うように土台の外面に雨避け板が設けられている床下換気構造であって、
前記送風ファンの空気取込口に、床下空間の内部方向に延長させて吸気ダクトが取り付けられている構成とした。
【発明の効果】
【００１３】
本発明（請求項１）の床下換気構造では、床下換気口から排気された空気が雨避け板の内面に沿って両隣りの床下換気口に流入するのを遮断させるための遮蔽手段を設けたので、換気装置から排気された空気が床下空間に戻ってしまうのを防止できる。
【００１４】
本発明（請求項２）の床下換気構造では、雨避け板の内面に取り付けた遮蔽部材によって、換気装置から排気された空気が雨避け板の内面に沿って両隣りの床下換気口の方向に流動するのを遮断させ、これにより換気装置から排気された空気が両隣りの床下換気口に流入するのを防止させて床下空間に戻ってしまうのを防止できる。
【００１５】
本発明（請求項３）の床下換気構造では、両隣りの床下換気口を閉塞部材で閉塞させたので、換気装置から排気された空気が両隣りの床下換気口から床下空間に戻ってしまうのを防止できる。
【００１６】
本発明（請求項４）の床下換気構造では、先端が雨避け板の内面に当接するように、換気装置の前面排気口の両側に遮蔽部材を取り付けたので、換気装置から排気された空気が雨避け板の内面に沿って両隣りの床下換気口の方向に流動するのを遮断させ、これにより換気装置から排気された空気が両隣りの床下換気口に流入するのを防止させて床下空間に戻ってしまうのを防止できる。
【００１７】
本発明（請求項５）の床下換気構造では、送風ケーシングの両側面にガード部材を取り付けたので、排気した空気が両隣りの床下換気口から床下空間内に戻ってきたとしても、その空気が送風ファンに吸気されるのをガードすることができ、床下空間に戻った２次空気が再び換気装置に吸入されてしまうというショートパスを解消できる。
【００１８】
本発明（請求項６）の床下換気構造では、送風ファンの空気取込口に、床下空間の内部方向に延長させて吸気ダクトを取り付けたので、床下空間に戻った２次空気が再び換気装置の送風ファンに吸入されてしまうというショートパスを解消できる。
【発明を実施するための最良の形態】
【００１９】
以下、本発明の床下換気構造の実施の形態を図面に示す実施例により説明する。なお、以下の各実施例において、同一構成部分には同一符号を付して、その説明を省略する。
【００２０】
図１は本発明の請求項２の床下換気構造に対応した第１実施例を示す斜視図、図２はこの床下換気構造の側面断面図、図３はこの床下換気構造の平面断面図である。
【００２１】
図において、９は受け板で、基礎９０と土台９１の間に一定間隔を保持して配設され、この受け板９が配設されていない基礎９０と土台９１の空隙が床下換気口８に形成されている。
この実施例では、受け板９と床下換気口８が交互に配され、多数の床下換気口８の内の１つの床下換気口８ａ（８）に、床下空間Ｓ１の空気を屋外Ｓ２に向けて排気させるための換気装置１が取り付けられている。
なお、換気装置１は支持部材９２によって土台９１に取り付けられている。
【００２２】
又、前記各床下換気口８の上方及び正面を一連に連続して覆うように土台９１の外面に雨避け板７が設けられている。
この雨避け板７は、平板材による正面部材７ａの内面上縁に沿って板材による上面部材７ｂを取り付けることで形成されている。
そして、前記上面部材７ｂを床下換気口８の上縁に沿わせるようにして土台９１に取り付けることにより、床下換気口８の上方を上面部材７ｂで覆うと共に、この上面部材７ｂの厚みによる空隙７ｃを保持して床下換気口８の正面を正面部材７ａで覆うようになっている。
なお、換気装置１を取り付けていない床下換気口８には、その屋外面に防鼠ネット（図示省略）が取り付けられている。
【００２３】
前記換気装置１は、吸気口２１に送風ファン２２が取り付けられた送風ケーシング２を備えている。
前記送風ケーシング２は、後板に円筒による吸気口２１が形成され、前記吸気口２１に軸流ファンによる送風ファン２２が取り付けられている。
なお、送風ファンは、軸流ファンに限らず、シロッコファンを用いることができるし、個数も１個に限らず、２個以上の送風ファンを取り付けてもよい。
【００２４】
前記送風ケーシング２の前部には、前記床下換気口８ａに接続される前面排気口２３が形成されている。
この前面排気口２３の横幅は、床下換気口８ａの横幅よりも狭く形成されている。
実施例では、前記送風ケーシング２の前部に、床下換気口８ａ内に挿入される延長上面板２４と延長下面板２５が形成されている。
【００２５】
この床下換気構造では、前記前面排気口２３の両側方に、この前面排気口２３の横幅を拡大させるための排気ガイド部材４，４が設けられている。
排気ガイド部材４，４は、前面及び後面及び内側面が開口するように形成され、外側板４４に取り付けたＬ型板４０にスライドピン４１が取り付けられている。
【００２６】
又、前記送風ケーシング２の前部両面に、左右方向に延長してガイドレール４２が取り付けられ、このガイドレール４２に形成したガイド穴４３に前記スライドピン４１を嵌め込むことで、前記排気ガイド部材４を左右方向にスライド可能に支持させている。
【００２７】
又、前記排気ガイド部材４には、前端が外側板４４の前端部に固定され、その固定部４５から後方内向き延長して排気ガイド部材４の内部を通り、送風ケーシング２の内側面２６に沿うように形成させた風路ガイド板４６が取り付けられている。
この風路ガイド板４６は、排気ガイド部材４の後面開口を塞ぐと共に、送風ケーシング２内での気流をスムーズに流すためのもので、バネ板等の弾性板が用いられ、送風ケーシング２の内側面２６に沿って取り付けた押え板２７と送風ケーシング２の内側面２６との間をスライドするようになっている。
なお、左右の押え板２７，２７の前端間に防鼠ワイヤ２８が張設されている。
【００２８】
従って、床下換気口８ａが前面排気口２３の幅よりも広い場合には、排気ガイド部材４を外向きにスライドさせることになるが、この排気ガイド部材４のスライドと共に、風路ガイド板４６が送風ケーシング２の内側面２６に沿ってスライドする。
【００２９】
上記のように構成された換気装置１において、送風ファン２２を駆動させると、床下空間Ｓ１の淀んだ空気が吸気口２１から送風ケーシング２内に吸気され、これが前面排気口２３から屋外Ｓ２に排気される。
このように、基礎パッキン工法による床下換気に際し、換気装置１を用いた強制換気を行なうことができるため、換気効率を向上させることができる。
【００３０】
この際、前面排気口２３から屋外Ｓ２に排気される空気は、雨避け板７の内面に衝突したのち、下方に排気されるが、一部は雨避け板７の内面に沿って両隣りの床下換気口８，８の方向に流動し、その両隣りの床下換気口８，８から床下空間Ｓ１に戻ってしまう。
【００３１】
この床下空間Ｓ１への戻りを防止するために、換気装置１を取り付けている床下換気口８ａに対向する雨避け板７の内面に遮蔽手段としての遮蔽部材７ｄ，７ｄを取り付けている。
この実施例では、遮蔽部材７ｄ，７ｄとして板材を用いているが、シート状または棒状の遮蔽部材を用いることができる。
即ち、遮蔽部材７ｄ，７ｄを取り付けることで、床下換気口８ａから排気された空気が雨避け板７の内面に沿って両隣りの床下換気口８，８の方向に流動するのを遮断させることができる。
【００３２】
次に、図４は本発明の請求項３の床下換気構造に対応した第２実施例を示す平面断面図である。
この第２実施例の床下換気構造は、換気装置１を取り付けている床下換気口８ａの両隣りの床下換気口８，８を遮蔽部材６０によって床下空間Ｓ１側から閉塞させた構造になっている。
なお、閉塞手段としての遮蔽部材６０は、板材やシート材、棒材を使用できるもので、その材質も木材、プラスチック、金属等を使用できるし、その取り付けは、床下空間Ｓ１側からでも屋外Ｓ２側からでもよい。
【００３３】
このように、両隣りの床下換気口８，８を遮蔽部材６０によって閉塞させたので、換気装置１から排気された空気が床下空間Ｓ１に戻ってしまうのを防止できる。
【００３４】
次に、図５は本発明の請求項４の床下換気構造に対応した第３実施例を示す平面断面図である。
この第３実施例の床下換気構造は、換気装置１の前面排気口２３の両側、実施例では、換気装置１に設けた排気ガイド部材４の外側板４４に取り付けたＬ型板４０の外面に遮蔽部材６１としての遮蔽板を取り付け、この遮蔽部材６１の先端６１ａを前記雨避け板７の内面に当接させた構造になっている。
この場合、前記遮蔽部材６１は、先端から雨避け板７の内面までの距離に対応できるように、前後方向にスライド可能に取り付けられている。
【００３５】
従って、遮蔽部材６１，６１を取り付けることで、床下換気口８ａから排気された空気が雨避け板７の内面に沿って両隣りの床下換気口８，８の方向に流動するのを遮断させることができる。
【００３６】
次に、図６は本発明の請求項５の床下換気構造に対応した第４実施例を示す平面断面図である。
この第４実施例の床下換気構造は、送風ケーシング２の両側面に床下空間Ｓ１の内部方向に延長させてガード部材６２，６２としてのガード板（ガードシート等でもよい）を取り付けた構造になっている。
したがって、このガード部材６２，６２により、両隣りの床下換気口８，８から床下空間Ｓ１内に流入してきた空気が送風ファン２２で再び吸気されるのをガードさせることができ、床下空間Ｓ１に戻った２次空気のショートパスを解消できる。
【００３７】
次に、図７は本発明の請求項６の床下換気構造に対応した第５実施例を示す平面断面図である。
この第４実施例の床下換気構造は、送風ファン２２の空気取込口２１に、床下空間Ｓ１の内部方向に延長させて吸気ダクト６３（例えば、フレキシブルダクト）を取り付けた構造になっている。
従って、吸気ダクト６３によって、床下換気口８と送風ファン２２の吸気口２１との距離を離すことができ、床下空間Ｓ１に戻った２次空気のショートパスを解消できる。
【００３８】
なお、本発明において、換気装置の具体的構造に限定はなく、要は吸気口に送風ファンが取り付けられた送風ケーシングを備え、この送風ケーシングの前部に、前記床下換気口内に接続される前面排気口が形成された構造であればよい。
【図面の簡単な説明】
【００３９】
【図１】本発明の請求項２の床下換気構造に対応した第１実施例を示す斜視図である。
【図２】この床下換気構造の側面断面図である。
【図３】この床下換気構造の平面断面図である。
【図４】本発明の請求項３の床下換気構造に対応した第２実施例を示す平面断面図である。
【図５】本発明の請求項４の床下換気構造に対応した第３実施例を示す平面断面図である。
【図６】本発明の請求項５の床下換気構造に対応した第４実施例を示す平面断面図である。
【図７】本発明の請求項６の床下換気構造に対応した第５実施例を示す平面断面図である。
【符号の説明】
【００４０】
１  換気装置
２  送風ケーシング
２１  吸気口
２２  送風ファン
２３  前面排気口
２４  延長上面板
２５  延長下面板
２６  内側面
２７  押え板
２８  防鼠ワイヤ
４  排気ガイド部材
４０  Ｌ型板
４１  スライドピン
４２  ガイドレール
４３  ガイド穴
４４  外側板
４５  固定部
４６  風路ガイド板
６０  遮蔽部材
６１  遮蔽部材
６１ａ  先端
６２  ガード部材
６３  吸気ダクト
７  雨避け板
７ａ  正面部材
７ｂ  上面部材
７ｃ  空隙
７ｄ  遮蔽部材
８  床下換気口
８ａ  床下換気口
９  受け板
９０  基礎
９１  土台
９２  支持部材
Ｓ１  床下空間
Ｓ２  屋外
【図１】
2007077573.tif 000003
【図２】
2007077573.tif 000004
【図３】
2007077573.tif 000005
【図４】
2007077573.tif 000006
【図５】
2007077573.tif 000007
【図６】
2007077573.tif 000008
【図７】
2007077573.tif 000009